(57)【要約】【課題】現像剤が膜状に固着した転写部材を清掃すること。【解決手段】  現像剤で構成された可視像を保持する像保持体（Ｂ）と、像保持体（Ｂ）に対向して配置され、像保持体（Ｂ）との間の転写領域（Ｑ４）を通過する媒体（Ｓ）に像保持体（Ｂ）上の可視像を転写する転写部材（Ｔ２ｂ）と、転写部材（Ｔ２ｂ）に接触して転写部材（Ｔ２ｂ）を清掃する清掃部材（２１）であって転写部材（Ｔ２ｂ）の幅方向に対して傾斜する軸（２２）を中心に回転可能に支持された清掃部材（２１）と、を備えた画像形成装置（Ｕ）。【選択図】図５
2017062330.tif 000002
【特許請求の範囲】
【請求項１】
現像剤で構成された可視像を保持する像保持体と、
前記像保持体に対向して配置され、前記像保持体との間の転写領域を通過する媒体に前記像保持体上の可視像を転写する転写部材と、
前記転写部材に接触して前記転写部材を清掃する清掃部材であって、前記転写部材の幅方向に対して傾斜する軸を中心に回転可能に支持された前記清掃部材と、
を備えたことを特徴とする画像形成装置。
【請求項２】
前記転写部材の回転方向に対して前記転写領域よりも下流側で且つ前記清掃部材よりも上流側に配置され、前記転写部材に接触して前記転写部材を清掃する第２の清掃部材、
を備えたことを特徴とする請求項１に記載の画像形成装置。
【請求項３】
前記転写部材の軸と前記清掃部材の軸との距離に応じた径に形成された前記清掃部材、
を備えたことを特徴とする請求項１または２に記載の画像形成装置。
【発明の詳細な説明】
【技術分野】
【０００１】
本発明は、画像形成装置に関する。
【背景技術】
【０００２】
従来から、画像形成装置においては、部材に付着、残留した現像剤を除去して部材を清掃する構成が知られており、以下の特許文献１，２に記載の技術が知られている。
【０００３】
特許文献１としての特開２００３―９８９２６号公報や、特許文献２としての特開２００３―９８９２７号公報には、中間転写ベルトの表面にクリーニングローラを当接させ、中間転写ベルトを清掃する構成が記載されている。特許文献１，２に記載の技術では、中間転写ベルトの幅方向に対して、クリーニングローラを傾斜させた状態で当接させている。これにより、特許文献１，２では、中間転写ベルトの表面に残留している球形トナーを、中間転写ベルトの回転を利用して、傾斜したクリーニングローラで軸方向に案内し、軸方向の一端に配置されたトナー回収手段に回収させている。
【先行技術文献】
【特許文献】
【０００４】
【特許文献１】特開２００３―９８９２６号公報（「００１４」〜「００１９」、図１、図２）
【特許文献２】特開２００３―９８９２７号公報（「００１４」〜「００１９」、図１、図２）
【発明の概要】
【発明が解決しようとする課題】
【０００５】
本発明は、現像剤が膜状に固着した転写部材を清掃することを技術的課題とする。
【課題を解決するための手段】
【０００６】
前記技術的課題を解決するために、請求項１に記載の発明の画像形成装置は、
現像剤で構成された可視像を保持する像保持体と、
前記像保持体に対向して配置され、前記像保持体との間の転写領域を通過する媒体に前記像保持体上の可視像を転写する転写部材と、
前記転写部材に接触して前記転写部材を清掃する清掃部材であって、前記転写部材の幅方向に対して傾斜する軸を中心に回転可能に支持された前記清掃部材と、
を備えたことを特徴とする。
【０００７】
請求項２に記載の発明は、請求項１に記載の画像形成装置において、
前記転写部材の回転方向に対して前記転写領域よりも下流側で且つ前記清掃部材よりも上流側に配置され、前記転写部材に接触して前記転写部材を清掃する第２の清掃部材、
を備えたことを特徴とする。
【０００８】
請求項３に記載の発明は、請求項１または２に記載の画像形成装置において、
前記転写部材の軸と前記清掃部材の軸との距離に応じた径に形成された前記清掃部材、
を備えたことを特徴とする。
【発明の効果】
【０００９】
請求項１に記載の発明によれば、転写部材の幅方向に対して傾斜する軸を中心に回転可能に支持されない場合に比べて、現像剤が膜状に固着した転写部材を清掃することができる。
請求項２に記載の発明によれば、第２の清掃部材を配置しない場合に比べて、膜状に固着した現像剤を除去し易くすることができる。
請求項３に記載の発明によれば、清掃部材の径が一定の場合に比べて、清掃部材と転写部材とを軸の方向に沿って接触させ易くすることができる。
【図面の簡単な説明】
【００１０】
【図１】図１は実施例１の画像形成装置の説明図である。
【図２】図２は実施例１の画像形成装置の要部説明図である。
【図３】図３は実施例１の２次転写クリーナの説明図であり、図２の要部拡大図である。
【図４】図４は実施例１の２次転写ロールの周囲の部材の位置関係を示す説明図であり、２次転写ロールを左前方から見た斜視図である。
【図５】図５は実施例１の２次転写ロールと清掃ロールとの位置関係の説明図であり、図５Ａは清掃ロールと２次転写ロールの説明図、図５Ｂは清掃ロールと２次転写ロールの各軸に直交する方向から見た場合の説明図である。
【図６】図６は実施例１の清掃ロールの形状の説明図である。
【図７】図７は実施例１の作用説明図であり、図７Ａは２次転写ロールと清掃ロールとの位置関係の説明図、図７Ｂは２次転写ロールから受ける清掃ロールを回転させる力の説明図、図７Ｃは清掃ロールに作用する力の説明図である。
【図８】図８は実施例２の２次転写ロールと清掃ロールとの位置関係の説明図であり、図８Ａは清掃ロールと２次転写ロールの説明図、図８Ｂは清掃ロールと２次転写ロールの各軸に直交する方向から見た場合の説明図である。
【図９】図９は実施例２の清掃ロールの形状の説明図であり、実施例１の図６に対応する説明図である。
【図１０】図１０は変更例の清掃ロールの形状の説明図であり、図１０Ａは実施例１に対する第１の変更例の説明図、図１０Ｂは実施例１に対する第２の変更例の説明図、図１０Ｃは実施例２に対する変更例の説明図である。
【発明を実施するための形態】
【００１１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１２】
図１は実施例１の画像形成装置の説明図である。
図２は実施例１の画像形成装置の要部説明図である。
図１において、本発明の実施例１の画像形成装置の一例としての複写機Ｕは、装置の本体の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵＩが支持されている。前記ユーザインタフェースＵＩは、操作者が入力をして、複写機Ｕの操作が可能である。
【００１３】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１４】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの右方には、撮像部材の一例としての撮像素子ＣＣＤが配置されている。撮像素子ＣＣＤには、画像処理部ＩＰＳが電気的に接続されている。
画像処理部ＩＰＳは、プリンタ部Ｕ１の書込回路ＤＬに電気的に接続されている。書込回路ＤＬは、潜像の形成装置の一例としてのＬＥＤヘッドＬＨｙ，ＬＨｍ，ＬＨｃ，ＬＨｋに電気的に接続されている。
【００１５】
各ＬＥＤヘッドＬＨｙ〜ＬＨｋの上方には、像保持体の一例としての感光体ドラムＰＲｙ，ＰＲｍ，ＰＲｃ，ＰＲｋが配置されている。
各感光体ドラムＰＲｙ〜ＰＲｋには、帯電器の一例としての帯電ロールＣＲｙ，ＣＲｍ，ＣＲｃ，ＣＲｋが対向して配置されている。前記帯電ロールＣＲｙ〜ＣＲｋには、電源回路Ｅから帯電電圧が印加される。なお、電源回路Ｅは、制御部の一例としてのコントローラＣにより制御される。前記コントローラＣは、画像処理部ＩＰＳや書込回路ＤＬ等との間でも信号の送受信を行って、各種制御を行う。
感光体ドラムＰＲｙ〜ＰＲｋの回転方向に対して、帯電ロールＣＲｙ〜ＣＲｋの下流側に設定された書込領域Ｑ１ｙ，Ｑ１ｍ，Ｑ１ｃ，Ｑ１ｋにおいて、感光体ドラムＰＲｙ〜ＰＲｋの表面に対して、ＬＥＤヘッドＬＨｙ〜ＬＨｋから書込光が照射される。
感光体ドラムＰＲｙ〜ＰＲｋの回転方向に対して、書込領域Ｑ１ｙ〜Ｑ１ｋの下流側に設定された現像領域Ｑ２ｙ，Ｑ２ｍ，Ｑ２ｃ，Ｑ２ｋには、現像装置Ｇｙ，Ｇｍ，Ｇｃ，Ｇｋが感光体ドラムＰＲｙ〜ＰＲｋの表面に対向して配置されている。
【００１６】
感光体ドラムＰＲｙ〜ＰＲｋの回転方向に対して、現像領域Ｑ２ｙ〜Ｑ２ｋの下流側には、１次転写領域Ｑ３ｙ，Ｑ３ｍ，Ｑ３ｃ，Ｑ３ｋが設定されている。１次転写領域Ｑ３ｙ〜Ｑ３ｋでは、中間転写体の一例としての中間転写ベルトＢに接触している。また、１次転写領域Ｑ３ｙ，Ｑ３ｍ，Ｑ３ｃ，Ｑ３ｋにおいて、中間転写ベルトＢを挟んで感光体ドラムＰＲｙ〜ＰＲｋの反対側には、１次転写器の一例としての１次転写ロールＴ１ｙ，Ｔ１ｍ，Ｔ１ｃ，Ｔ１ｋが配置されている。
感光体ドラムＰＲｙ〜ＰＲｋの回転方向に対して、１次転写領域Ｑ３ｙ〜Ｑ３ｋの下流側には、像保持体の清掃器の一例としてのドラムクリーナＣＬｙ，ＣＬｍ，ＣＬｃ，ＣＬｋが配置されている。
なお、実施例１では、感光体ドラムＰＲｙ〜ＰＲｋとドラムクリーナＣＬｙ〜ＣＬｋは、各色ごとに、像保持体ユニットの一例としての感光体ユニットとして、プリンタ部Ｕ１に対して一体的に着脱可能に構成されている。また、現像装置Ｇｙ〜Ｇｋも現像ユニットとして、プリンタ部Ｕ１に対して着脱可能に構成されている。
【００１７】
前記感光体ドラムＰＲｙ〜ＰＲｋの上方には、中間転写装置の一例としてのベルトモジュールＢＭが配置されている。前記ベルトモジュールＢＭは、前記中間転写ベルトＢを有する。中間転写ベルトＢは、駆動部材の一例としての駆動ロールＲｄと、張架部材の一例としてのテンションロールＲｔと、蛇行補正部材の一例としてのウォーキングロールＲｗ、従動部材の一例としてのアイドラロールＲｆ、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００１８】
中間転写ベルトＢを挟んでバックアップロールＴ２ａの反対側には、２次転写部材の一例としての２次転写ロールＴ２ｂが配置されている。前記バックアップロールＴ２ａと２次転写ロールＴ２ｂにより２次転写器Ｔ２が構成されている。また、２次転写ロールＴ２ｂと中間転写ベルトＢとが対向する領域により２次転写領域Ｑ４が形成される。
前記１次転写ロールＴ１ｙ〜Ｔ１ｋ、中間転写ベルトＢおよび２次転写器Ｔ２等により、感光体ドラムＰＲｙ〜ＰＲｋに形成された画像を媒体に転写する実施例１の転写装置Ｔ１＋Ｔ２＋Ｂが構成されている。
【００１９】
中間転写ベルトＢの回転方向に対して、２次転写領域Ｑ４の下流側には、中間転写体の清掃器の一例としてのベルトクリーナＣＬｂが配置されている。
また、２次転写ロールＴ２ｂの表面に対向して、２次転写器の清掃器の一例としての２次転写クリーナＣＬｔが配置されている。
前記ベルトモジュールＢＭの上方には、現像剤の収容容器の一例としてのカートリッジＫｙ，Ｋｍ，Ｋｃ，Ｋｋが配置されている。各カートリッジＫｙ〜Ｋｋには、現像装置Ｇｙ〜Ｇｋに補給される現像剤が収容されている。前記カートリッジＫｙ〜Ｋｋと現像装置Ｇｙ〜Ｇｋとの間は、図示しない現像剤の補給装置により接続されている。
【００２０】
プリンタ部Ｕ１の下部には、媒体の収容容器の一例としての給紙トレイＴＲ１〜ＴＲ３が配置されている。給紙トレイＴＲ１〜ＴＲ３は、案内部材の一例としてのガイドレールＧＲにより前後方向に着脱可能に支持されている。給紙トレイＴＲ１〜ＴＲ３には、媒体の一例としてのシートＳが収容されている。
給紙トレイＴＲ１〜ＴＲ３の左上方には、媒体の取出部材の一例としてのピックアップロールＲｐが配置されている。ピックアップロールＲｐの左方には、捌き部材の一例としての捌きロールＲｓが配置されている。
各給紙トレイＴＲ１〜ＴＲ３の左方には、上方に延びる媒体の搬送路ＳＨ１が形成されている。搬送路ＳＨ１には、媒体の搬送部材の一例としての搬送ロールＲａが複数配置されている。搬送路ＳＨ１には、シートＳの搬送方向の下流部であり且つ２次転写領域Ｑ４の上流側に、送出部材の一例としてのレジロールＲｒが配置されている。
【００２１】
２次転写領域Ｑ４の上方には、定着装置Ｆが配置されている。定着装置Ｆは、加熱部材の一例としての加熱ロールＦｈと、加圧部材の一例としての加圧ロールＦｐとを有する。加熱ロールＦｈと加圧ロールＦｐとの接触領域により、定着領域Ｑ５が構成されている。
定着装置Ｆの斜め上方には、媒体の搬送部材の一例としての排出ローラＲｈが配置されている。排出ローラＲｈの右方には、媒体の排出部の一例としての排出トレイＴＲｈが形成されている。
【００２２】
（画像形成動作の説明）
前記原稿トレイＴＧ１に収容された複数の原稿Ｇｉは、プラテンガラスＰＧ上の原稿の読み取り位置を順次通過して、原稿の排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
【００２３】
原稿Ｇｉからの反射光は、読取り用の光学系Ａを通って、撮像素子ＣＣＤに集光される。前記撮像素子ＣＣＤは、撮像面上に集光された原稿の反射光が赤：Ｒ、緑：Ｇ、青：Ｂの電気信号に変換される。
画像処理部ＩＰＳは、撮像素子ＣＣＤから入力されるＲＧＢの電気信号を黒：Ｋ、イエロー：Ｙ、マゼンタ：Ｍ、シアン：Ｃの画像情報に変換して一時的に記憶する。画像処理部ＩＰＳは、一時的に記憶した画像情報を予め設定された時期に、潜像形成用の画像情報として書込回路ＤＬに出力する。
なお、原稿画像が単色画像、いわゆる、モノクロの場合は、黒：Ｋのみの画像情報が書込回路ＤＬに入力される。
【００２４】
前記書込回路ＤＬは、図示しない各色Ｙ，Ｍ，Ｃ，Ｋの各駆動回路を有し、入力された画像情報に応じた信号を予め設定された時期に、各色毎に配置されたＬＥＤヘッドＬＨｙ〜ＬＨｋに出力する。
各感光体ドラムＰＲｙ〜ＰＲｋの表面は、帯電ロールＣＲｙ〜ＣＲｋによりに帯電される。ＬＥＤヘッドＬＨｙ〜ＬＨｋは、書込領域Ｑ１ｙ〜Ｑ１ｋにおいて、感光体ドラムＰＲｙ〜ＰＲｋの表面に静電潜像を形成する。現像装置Ｇｙ〜Ｇｋは、現像領域Ｑ２ｙ〜Ｑ２ｋにおいて、感光体ドラムＰＲｙ〜ＰＲｋの表面の静電潜像を、可視像の一例としてのトナー像に現像する。現像装置Ｇｙ〜Ｇｋで現像剤が消費されると、消費量に応じて、各カートリッジＫｙ〜Ｋｋから各現像装置Ｇｙ〜Ｇｋに現像剤が補給される。
【００２５】
各感光体ドラムＰＲｙ〜ＰＲｋの表面のトナー像は、１次転写領域Ｑ３ｙ，Ｑ３ｍ，Ｑ３ｃ，Ｑ３ｋに搬送される。各１次転写ロールＴ１ｙ〜Ｔ１ｋには、電源回路Ｅから予め設定された時期にトナーの帯電極性と逆極性の１次転写電圧が印加される。したがって、１次転写領域Ｑ３ｙ〜Ｑ３ｋにおいて、１次転写電圧により、感光体ドラムＰＲｙ〜ＰＲｋのトナー像は、中間転写ベルトＢに順次重ねて転写される。なお、Ｋ色の単色の画像の場合は、Ｋ色のトナー像のみが、Ｋの感光体ドラムＰＲｋから中間転写ベルトＢに転写される。
【００２６】
１次転写後の感光体ドラムＰＲｙ〜ＰＲｋ表面の残留物、付着物は、ドラムクリーナＣＬｙ〜ＣＬｋで清掃される。清掃された感光体ドラムＰＲｙ〜ＰＲｋの表面は、帯電ロールＣＲｙ〜ＣＲｋで再帯電される。
【００２７】
前記各給紙トレイＴＲ１〜ＴＲ３のシートＳは、予め設定された給紙時期にピックアップロールＲｐにより取り出される。ピックアップロールＲｐで取り出されたシートＳは、複数枚のシートＳが重なった状態で取り出された場合には、捌きロールＲｓで１枚づつ分離される。捌きロールＲｓを通過したシートＳは、複数の搬送ロールＲａにより、レジロールＲｒに搬送される。
前記レジロールＲｒは、中間転写ベルトＢの表面のトナー像が２次転写領域Ｑ４に移動する時期に合わせて、シートＳを送り出す。
【００２８】
レジロールＲｒから送り出されたシートＳには、２次転写領域Ｑ４を通過する際に、２次転写ロールＴ２ｂに印加された２次転写電圧により、中間転写ベルトＢの表面のトナー像が転写される。
２次転写領域Ｑ４を通過後の中間転写ベルトＢの表面は、ベルトクリーナＣＬｂにより残留トナーが除去されて清掃される。
また、２次転写ロールＴ２ｂの表面は、２次転写クリーナＣＬｔにより、付着した紙粉や現像剤等の残留物が除去されて清掃される。
２次転写領域Ｑ４を通過したシートＳは、定着領域Ｑ５を通過する際に、定着装置Ｆによりトナー像が加熱および加圧されて定着される。
トナー像が定着された記録シートＳは、排出ローラＲｈで排出トレイＴＲｈに排出される。
【００２９】
（プリンタ部Ｕ１の詳細な説明）
図１、図２において、実施例１のプリンタ部Ｕ１では、大きさ、いわゆる、サイズが最大となるシートＳの幅に対応させて、画像が形成可能に構成されている。具体的には、搬送可能に設定された幅方向が最大のシートＳの幅と、余裕、いわゆる、マージンとに基づいた幅の画像が形成可能に構成されている。すなわち、実施例１のプリンタ部Ｕ１では、シートＳの面全体に画像が印刷可能に構成されており、いわゆる、縁無し印刷が可能に構成されている。
【００３０】
実施例１のプリンタ部Ｕ１が有するベルトモジュールＢＭは、中間転写ベルトＢと、中間転写体の駆動部材の一例としてのベルト駆動ロールＲｄと、中間転写体の張架部材の一例としてのテンションロールＲｔと、蛇行防止部材の一例としてのウォーキングロールＲｗと、従動部材の一例としてのアイドラロールＲｆと、２次転写領域の対向部材の一例としてのバックアップロールＴ２ａと、１次転写ロールＴ１ｙ，Ｔ１ｍ，Ｔ１ｃ，Ｔ１ｋと、を有する。また、中間転写ベルトＢは、各ロールＲｄ，Ｒｔ，Ｒｗ，Ｒｆ，Ｔ２ａにより回転移動可能に支持されている。各ロールＲｄ，Ｒｔ，Ｒｗ，Ｒｆ，Ｔ２ａにより、中間転写体の支持部材の一例としてのベルト支持ロールＲｄ，Ｒｔ，Ｒｗ，Ｒｆ，Ｔ２ａが構成される。
【００３１】
（転写装置Ｔ１＋Ｔ２＋Ｂの詳細な説明）
図３は実施例１の２次転写クリーナの説明図であり、図２の要部拡大図である。
図３において、実施例１の転写装置Ｔ１＋Ｔ２＋Ｂは、２次転写ロールＴ２ｂと、２次転写ロールＴ２ｂを清掃する２次転写クリーナＣＬｔと、を有する。実施例１の２次転写ロールＴ２ｂは、前後方向に延びる軸１を有する。軸１には、２次転写ロールＴ２ｂの本体部の一例としてのロール部２が支持されている。ロール部２の表面には、表面層３が形成されている。実施例１の表面層３は平滑に構成されており、一例として、ポリイミドで構成されている。なお、表面層３は、ポリイミドに限定されず、例えば、ポリアミドイミド等の材料で構成することも可能である。なお、実施例１では、２次転写ロールＴ２ｂは、バックアップロールＴ２ａに比べて小径に構成されている。また、２次転写ロールＴ２ｂは、軸１に対して、図示しない駆動源から駆動が伝達される。すなわち、実施例１では、２次転写ロールＴ２ｂが駆動可能に構成されている。
【００３２】
図４は実施例１の２次転写ロールの周囲の部材の位置関係を示す説明図であり、２次転写ロールを左前方から見た斜視図である。
図３、図４において、２次転写器の清掃器の一例としての２次転写クリーナＣＬｔは、２次転写ロールＴ２ｂに対向して配置されている。実施例１の２次転写クリーナＣＬｔは、２次転写領域Ｑ４に対して２次転写ロールＴ２ｂを挟んで反対側に配置されている。２次転写クリーナＣＬｔは、２次転写ロールＴ２ｂの軸方向に沿って延びる箱型の清掃容器１１を有する。清掃容器１１には、第２の清掃部材の一例としての板状の清掃ブレード１２が支持されている。清掃ブレード１２は、先端部１２ａが２次転写ロールＴ２ｂの表面に接触している。実施例１では、清掃ブレード１２は、先端部１２ａが２次転写ロールＴ２ｂの軸方向に沿って延びた清掃領域Ｑ１で接触するように支持される。
【００３３】
図５は実施例１の２次転写ロールと清掃ロールとの位置関係の説明図であり、図５Ａは清掃ロールと２次転写ロールの説明図、図５Ｂは清掃ロールと２次転写ロールの各軸に直交する方向から見た場合の説明図である。
図４、図５において、清掃ブレード１２に対して、２次転写ロールＴ２ｂの回転方向の下流側には、清掃部材の一例としての清掃ロール２１が配置されている。清掃ロール２１は、一端から他端に向かって延びる軸２２を有する。軸２２には、清掃ロール２１の本体部の一例としてのロール部２３が支持されている。ロール部２３は発泡樹脂で構成されている。実施例１のロール部２３は、一例として、株式会社ロジャースイノアック社製のマイクロセルポリマーシート、詳細には、ＰＯＲＯＮ（登録商標）で製造されている。なお、ロール部２３は、ＰＯＲＯＮ（登録商標）に限定されず、例えば、ポリエーテル系ポリウレタンフォームや、ポリエステル系ポリウレタンフォーム等で構成することも可能である。
【００３４】
図５において、清掃ロール２１は、２次転写ロールＴ２ｂの幅方向に対して傾斜角度θで傾斜する軸２２を中心に回転可能に支持される。特に、実施例１の清掃ロール２１は、軸２２の軸方向の中央部Ｐ１で２次転写ロールＴ２ｂに対して交差するように支持される。すなわち、図５Ｂにおいて、２次転写ロールＴ２ｂと清掃ロール２１の各軸１，２２に直交する方向から見た場合に、２次転写ロールＴ２ｂの軸１の中心線Ｌ１と、清掃ロール２１の軸２２の中心線Ｌ２とが、互いのロール部２，２３の軸方向の中央部Ｐ１で交差している。ここで、清掃ロール２１は、ロール部２３が軸方向の全域で２次転写ロールＴ２ｂに接触するように清掃容器１１の両端に支持される。
【００３５】
図６は実施例１の清掃ロールの形状の説明図である。
図６において、ロール部２３は、２次転写ロールＴ２ｂの軸１と、清掃ロール２１の軸２２と、の距離に応じて径が形成されている。すなわち、実施例１では、清掃ロール２１は２次転写ロールＴ２ｂに対して中央部Ｐ１で交差する。よって、２次転写ロールＴ２ｂの軸１と、清掃ロール２１の軸２２との距離、すなわち、間隔は、中央部Ｐ１では狭く、端部Ｐ２，Ｐ３では広くなる。したがって、実施例１では、軸１と軸２２との間隔が広がるのに応じて、ロール部２３の外径が端部ほど大きくなるように形成される。
【００３６】
具体的には、清掃ロール２１が２次転写ロールＴ２ｂに接触した場合に、中央部Ｐ１の接触領域と端部Ｐ２，Ｐ３の接触領域との広さの差が小さくなるように、ロール部２３の中央部の外径と端部の外径とが設定される。そして、中央部Ｐ１から端部Ｐ２，Ｐ３に移動する距離に応じて外径が１次式的に増加するようにロール部２３が形成されている。つまり、実施例１のロール部２３は、円錐の頂部を平面で切除した形状、いわゆる、切頂円錐が２つ接続された形状に構成されている。すなわち、ロール部２３は、同一の２つの切頂円錐を、小径側の頂面同士で接続された形状に構成されている。そして、清掃ロール２１は、２次転写ロールＴ２ｂの軸方向に対して傾斜した清掃領域Ｑ２で接触するように支持されている。
【００３７】
図３において、清掃ブレード１２の下端の下方であって、清掃ロール２１の左下方には、排出用の搬送部材３１が配置されている。排出用の搬送部材３１は、清掃ブレード１２や清掃ロール２１が２次転写ロールＴ２ｂから除去して清掃容器１１に回収した現像剤等を、図示しない廃棄用現像剤の回収容器に向けて搬送する。
【００３８】
（プリンタ部Ｕ１および転写装置Ｔ１＋Ｔ２＋Ｂの機能）
前記構成を備えた実施例１のプリンタ部Ｕ１および転写装置Ｔ１＋Ｔ２＋Ｂでは、画像形成時に、２次転写ロールＴ２ｂにトナーや紙粉などが付着して、２次転写ロールＴ２ｂが汚れる場合がある。特に、実施例１では、ユーザが入力した設定に基づいて縁無し印刷が実行される場合に、シートＳのサイズよりも大きなトナー像が形成される。よって、前記トナー像が転写装置Ｔ１＋Ｔ２＋Ｂを介してシートＳに転写される際に、シートＳよりも外側の領域のトナーは、シートＳには転写されずに２次転写ロールＴ２ｂに転写される。よって、実施例１では、特に縁なし印刷の場合には、縁無し印刷でない場合に比べて大量のトナーが２次転写ロールＴ２ｂに転写され易い。
【００３９】
一般に、２次転写ロールＴ２ｂにトナー等が移動すると、２次転写ロールＴ２ｂの電気抵抗が変化する。よって、転写電界が予め設定された値から変動して、画質が悪化する恐れがある。また、次のシートＳが２次転写領域Ｑ４を通過する場合などには、２次転写ロールＴ２ｂ側の面、いわゆる、裏面に、２次転写ロールＴ２ｂ上のトナーが付着して、シートＳの裏汚れが生じる恐れもある。よって、これらを抑制するために、従来から、２次転写ロールＴ２ｂからトナーなどを除去して２次転写ロールＴ２ｂを清掃する技術がある。
【００４０】
従来の技術では、２次転写ロールＴ２ｂに対して、清掃部材、例えば、板状の清掃ブレードを２次転写ロールＴ２ｂの軸方向に沿って延びる領域で接触させ、回転する２次転写ロールＴ２ｂからトナー等を擦り取っていた。しかしながら、従来の構成では、大量のトナーが２次転写ロールＴ２ｂに移動したり、シートＳの紙粉が２次転写ロールＴ２ｂに移動したりすると、清掃ブレードの性能が低下し、清掃ブレードの先端からトナーがすり抜けてしまう場合があった。このとき、トナーは清掃ブレードから圧力を受ける。よって、すり抜けたトナーは劣化して固着し易くなる。したがって、清掃ブレードをすり抜けたトナーが、２次転写ロールＴ２ｂに膜状に固着する場合があり、いわゆる、フィルミングが生じる場合があった。
【００４１】
また、２次転写領域Ｑ４では、バックアップロールＴ２ａと２次転写ロールＴ２ｂとで挟まれており、挟持力、いわゆる、ニップ圧が作用する。よって、２次転写ロールＴ２ｂ上に付着したトナーは加圧され、フィルミングが生じる場合がある。
特に、２次転写ロールＴ２ｂに対して清掃ブレードを接触させる構成では、清掃ブレードの摩耗を低減するために、２次転写ロールＴ２ｂの表面は平滑な構成が望ましい。よって、従来は２次転写ロールＴ２ｂの表面が発泡材料で構成されていることがあったが、実施例１の２次転写ロールＴ２ｂの表面層３のように、表面はポリイミドなどで構成することが望ましい。
【００４２】
しかし、中間転写ベルトＢがポリイミドで構成されている場合に、２次転写ロールＴ２ｂの表面層３もポリイミドで構成されると、２次転写ロールＴ２ｂの表面が発泡材料で構成されている場合に比べて、中間転写ベルトＢと２次転写ロールＴ２ｂの表面が堅いもの同士となる。よって、２次転写領域Ｑ４において、フィルミングが生じ易くなる。特に、２次転写ロールＴ２ｂは中間転写ベルトＢに比べて外周が小さいため、通過回数が多くなり、その結果、２次転写ロールＴ２ｂにおいてフィルミングが生じ易くなる。
したがって、２次転写領域Ｑ４においても、２次転写ロールＴ２ｂにはフィルミングが生じる場合がある。
【００４３】
ここで、従来の清掃ブレードの下流側に、２次転写ロールＴ２ｂの軸方向に沿って延びる清掃部材を配置して、フィルミングを除去しようとしたが、フィルミングを十分に除去することは困難であった。すなわち、２次転写ロールＴ２ｂの軸方向に沿って延びる領域で清掃部材を接触させる構成では、上流側の清掃ブレードと同様に、２次転写ロールＴ２ｂには回転方向に沿った摺擦力となり易い。よって、フィルミングを除去する能力が不足しており、フィルミングを十分には除去、抑制できなかった。
【００４４】
図７は実施例１の作用説明図であり、図７Ａは２次転写ロールと清掃ロールとの位置関係の説明図、図７Ｂは２次転写ロールから受ける清掃ロールを回転させる力の説明図、図７Ｃは清掃ロールに作用する力の説明図である。
これに対して、実施例１では、清掃ロール２１が２次転写ロールＴ２ｂの幅方向に対して傾斜して配置されている。すなわち、図７Ａにおいて、清掃ロール２１は、軸２２の中心線Ｌ２が２次転写ロールＴ２ｂの軸１の中心線Ｌ１に対して傾斜した状態で、２次転写ロールＴ２ｂに清掃領域Ｑ２で接触している。よって、２次転写ロールＴ２ｂが駆動すると、清掃領域Ｑ２では、従動回転する清掃ロール２１のロール部２３にトナーなどが付着しながら、２次転写ロールＴ２ｂの表面に付着したフィルミングなどが除去される。なお、フィルミングが除去される原理は以下のものと考えられる。
【００４５】
図７Ｂにおいて、２次転写ロールＴ２ｂに駆動が伝達されて回転すると、清掃ロール２１は、清掃領域Ｑ２の各部において２次転写ロールＴ２ｂから摩擦力を受けて従動回転する。つまり、清掃領域Ｑ２に進入した清掃ロール２１の表面部分では、２次転写ロールＴ２ｂの回転方向に向かう力Ｆ１を２次転写ロールＴ２ｂから受ける。このとき、力Ｆ１の向きは、清掃ロール２１の回転中心となる軸２２に対して傾斜している。よって、力Ｆ１のうち、軸２２に直交する分力Ｆ１ａが、清掃ロール２１を回転させる力として作用する。一方、残りの分力Ｆ１ｂは、清掃ロール２１の軸２２に沿っており、清掃ロール２１を軸２２の方向に移動させようとする。
【００４６】
このとき、清掃ロール２１は両端で支持されており、軸方向に移動することが規制されている。よって、図７Ｃにおいて、清掃ロール２１には、軸２２に沿った軸方向の移動を妨げるように、分力Ｆ１ｂを相殺する力Ｆ２が作用する。つまり、清掃ロール２１には、２次転写ロールＴ２ｂの軸１に直交する分力Ｆ２ａや、軸１の方向に沿った分力Ｆ２ｂが作用する。
【００４７】
そして、清掃ロール２１が回転して清掃ロール２１の表面部分が清掃領域Ｑ２を通過すると、前記表面部分は２次転写ロールＴ２ｂから離間する。よって、前記表面部分には力Ｆ１が作用しなくなり、相殺する力Ｆ２なども作用しなくなる。したがって、清掃ロール２１の表面部分では、２次転写ロールＴ２ｂと接触する清掃領域Ｑ２で、２次転写ロールＴ２ｂの軸１の方向に沿った分力Ｆ２ｂが生じる。つまり、清掃ロール２１は、清掃領域Ｑ２では、２次転写ロールＴ２ｂに対して軸１の方向に沿った摺擦力を作用させる。
【００４８】
したがって、実施例１では、回転方向に清掃ブレードをすり抜けたりしてトナーが固着されようとしても、回転方向に交差する方向からも摺擦力が作用する。よって、実施例１では、トナーが除去され易く、フィルミングが抑制、除去され易くなっている。すなわち、実施例１では、清掃部材が２次転写ロールＴ２ｂの幅方向に対して傾斜して配置されていない場合に比べて、フィルミングが生じた２次転写ロールＴ２ｂが清掃され易くなっている。
【００４９】
特に、実施例１では、傾斜する清掃部材２１は、２次転写ロールＴ２ｂと共に回転する。仮に、傾斜する清掃部材が従動回転しない場合、例えば、板状やブロック状の清掃部材を幅方向に傾斜させて、２次転写ロールＴ２ｂの表面を摺動させる構成では、２次転写ロールＴ２ｂの回転抵抗が増加し易い。よって、モータのトルクを確保する必要が生じ易く、モータが大型化する恐れがある。これに対して、実施例１の清掃ロール２１は従動回転する構成であり、２次転写ロールＴ２ｂの回転に対して過剰な抵抗となることが抑制されている。したがって、実施例１では、ブロック状などの摺動部材で清掃部材を構成する場合に比べて、構成を大型化させずに、フィルミングを除去し易くなっている。
【００５０】
また、実施例１の清掃ロール２１のロール部２３では、軸方向の端部側Ｐ２，Ｐ３に比べて中央部Ｐ１の方が小径に形成されている。そして、清掃ロール２１は、小径の中央部Ｐ１で２次転写ロールＴ２ｂに交差している。ここで、２次転写ロールＴ２ｂに対して清掃ロール２１を傾斜させる場合、２次転写ロールＴ２ｂの軸１と、清掃ロール２１の軸２２との間隔は、端部の方が広い。したがって、仮に、円柱状の清掃部材を傾斜させて、２次転写ロールＴ２ｂに接触させようとしても、中央部のみで接触し、端部では、清掃部材の表面が２次転写ロールＴ２ｂに届かない恐れがある。また、清掃部材の表面が２次転写ロールＴ２ｂに届いたとしても、端部では、中央部に比べて接触圧が弱過ぎる恐れがある。したがって、円柱状の清掃部材では、清掃領域Ｑ２の軸方向の全域に渡って接触圧を確保できない恐れがあり、トナーやフィルミングが除去されない恐れがある。
【００５１】
これに対して、実施例１では、清掃ロール２１の軸２２と２次転写ロールＴ２ｂの軸１との間隔が広がるのに応じて、ロール部２３の径が大きくなっている。したがって、ロール部２３が円柱状に形成されている場合に比べて、清掃ロール２１を傾斜させた場合に、ロール部２３と、２次転写ロールＴ２ｂの表面層３との間隔のバラツキが小さくなっている。したがって、実施例１では、清掃ロール２１を２次転写ロールＴ２ｂに接触させた場合に、軸方向の全域で接触して清掃領域Ｑ２が形成され易い。その上、清掃領域Ｑ２の各部における接触圧のバラツキが低減され易い。よって、実施例１では、円柱状の清掃部材に比べて、清掃領域Ｑ２の軸方向の全域に渡って接触圧を確保し、トナーやフィルミングを除去し易くなっている。
【００５２】
なお、２次転写ロールＴ２ｂは軸方向で外径が一定に構成されており、一定の周速となり易い。一方、清掃ロール２１は軸方向で外径が異なっている。したがって、清掃ロール２１が２次転写ロールＴ２ｂに接触して従動回転する際に、ロール部２３には外径の差異に応じて周速差や、周速差に伴う捻れや摺擦が生じる場合がある。よって、ロール部２３が接触する２次転写ロールＴ２ｂには、複雑な向きの摺擦力が付与され易い。したがって、実施例１では、外径が軸方向で一定の場合に比べて、複雑な摺擦力を２次転写ロールＴ２ｂに付与し易くなっている。
【００５３】
また、実施例１の２次転写クリーナＣＬｔでは、清掃ロール２１よりも２次転写ロールＴ２ｂの回転方向の上流側に清掃ブレード１２が配置されている。よって、清掃ブレード１２の清掃領域Ｑ１でトナーが除去される。そして、清掃ブレード１２をすり抜けたトナー等が、清掃ロール２１の清掃領域Ｑ２に到達する。したがって、清掃ブレード１２を有しない場合に比べて、実施例１では、清掃領域Ｑ２に到達するトナーの量などが少なくなり易い。ここで、清掃領域Ｑ２に大量のトナー等が移動すると、清掃ロール２１はフィルミングの表面に付着するトナーの清掃が主となり、清掃ロール２１がフィルミングに接触し難くなる恐れがある。よって、清掃ロール２１のみでトナーを除去する場合に比べて、清掃ブレード１２が清掃ロール２１の上流側に配置された実施例１では、フィルミングが抑制、除去され易くなっている。
【実施例２】
【００５４】
次に本発明の実施例２の説明をするが、この実施例２の説明において、前記実施例１の構成要素に対応する構成要素には同一の符号を付して、その詳細な説明は省略する。
この実施例は下記の点で、前記実施例１と相違しているが、他の点では前記実施例１と同様に構成される。
【００５５】
図８は実施例２の２次転写ロールと清掃ロールとの位置関係の説明図であり、図８Ａは清掃ロールと２次転写ロールの説明図、図８Ｂは清掃ロールと２次転写ロールの各軸に直交する方向から見た場合の説明図である。
図９は実施例２の清掃ロールの形状の説明図であり、実施例１の図６に対応する説明図である。
図８、図９において、実施例２の２次転写クリーナＣＬｔ′では、実施例１の清掃ロール２１に替えて、実施例２の清掃ロール２１′を有する。実施例２の清掃ロール２１′は、一端の一例としての後端から、他端の一例としての前端になるに連れて、大径に形成されたロール部２３′を有する点が実施例１の清掃ロール２１と異なっている。
【００５６】
ここで、実施例２の清掃ロール２１′は、軸２２の後端部Ｐ１１で２次転写ロールＴ２ｂに対して交差するように支持される。すなわち、図８Ｂにおいて、２次転写ロールＴ２ｂと清掃ロール２１′の各軸１，２２に直交する方向から見た場合に、２次転写ロールＴ２ｂの軸１の中心線Ｌ１と、清掃ロール２１′の軸２２の中心線Ｌ２とが、互いのロール部２，２３′の軸方向の後端部Ｐ１１で交差している。そして、清掃ロール２１′は、ロール部２３′が軸方向の全域で２次転写ロールＴ２ｂに接触するように支持される。すなわち、ロール部２３′は、２次転写ロールＴ２ｂの軸１と、清掃ロール２１′の軸２２と、の間隔が広がるのに応じて大径に形成されている。
【００５７】
具体的には、清掃ロール２１′が２次転写ロールＴ２ｂに接触した場合に、後端部Ｐ１１の接触領域と前端部Ｐ１２の接触領域との広さの差が小さくなるように、ロール部２３の後端部の外径と前端部の外径とが設定される。そして、後端部Ｐ１１から前端部Ｐ１２に移動する距離に応じて外径が１次式的に増加するようにロール部２３′が形成されている。つまり、実施例２のロール部２３′は、細長い切頂円錐状に形成されている。清掃ロール２１′は、２次転写ロールＴ２ｂの軸方向に対して傾斜した清掃領域Ｑ２′で接触するように支持される。
【００５８】
（実施例２のプリンタ部Ｕ１および転写装置Ｔ１＋Ｔ２＋Ｂの機能）
前記構成を備えた実施例２のプリンタ部Ｕ１および転写装置Ｔ１＋Ｔ２＋Ｂでは、２次転写ロールＴ２ｂが実施例２の２次転写クリーナＣＬｔ′で清掃される。ここで、実施例２では、２次転写ロールＴ２ｂに対して、清掃ロール２１′が後端部Ｐ１１で交差している。よって、実施例２でも、清掃ロール２１′が２次転写ロールＴ２ｂの幅方向に対して傾斜しており、実施例１と同様に、清掃領域Ｑ２′では２次転写ロールＴ２ｂの軸方向に沿った摺擦力が作用する。よって、実施例２でも、フィルミングが抑制、除去され易くなっている。すなわち、実施例２でも、実施例１と同様に、フィルミングが生じた２次転写ロールＴ２ｂが清掃され易くなっている。
【００５９】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ09）を下記に例示する。
（Ｈ01）前記各実施例において、画像形成装置の一例としての複写機Ｕを例示したが、これに限定されず、プリンタ、ＦＡＸ、あるいは、これら複数の機能を備えた複合機等に適用可能である。また、多色現像の画像形成装置に限定されず、単色、いわゆるモノクロの画像形成装置により構成することも可能である。
【００６０】
図１０は変更例の清掃ロールの形状の説明図であり、図１０Ａは実施例１に対する第１の変更例の説明図、図１０Ｂは実施例１に対する第２の変更例の説明図、図１０Ｃは実施例２に対する変更例の説明図である。
（Ｈ02）前記各実施例において、清掃ロール２１，２１′のロール部２３，２３′が軸方向に移動するに連れて外径が１次式的に増加する構成を例示したが、これに限定されない。例えば、図１０Ａ、図１０Ｃに示すように、ロール部２３Ａ，２３Ｃの外径が軸方向に移動するに連れて曲線的に変化する清掃ロール２１Ａ，２１Ｃの構成も可能である。よって、例えば、傾斜角度θ，θ′と、軸方向の移動距離とに基づいて、２次転写ロールＴ２ｂの表面層３に対応した面形状を有するように、軸方向に移動するに連れて外径を曲線的に変化させたロール部の構成なども可能である。
【００６１】
また、前記各実施例において、軸方向に移動するに連れて、ロール部２３，２３′の外径が連続的に変化する構成を例示したが、これに限定されない。例えば、実施例１に対する変更例で示すと、図１０Ｂに示すように、ロール部２３Ｂが、外径が一定の中央部２３Ｂ１と、外径が両端に進むに連れて増加する両端部２３Ｂ２，２３Ｂ３と、を有する構成も可能である。ここで、例えば、シートＳが幅方向の中央を基準に搬送される、いわゆる、センターレジではサイズが小さくてもシートＳが中央部を通過する。したがって、２次転写ロールＴ２ｂの中央部は端部側に比べて汚れ難い。よって、センターレジの構成に適用された２次転写ロールＴ２ｂに対しては、軸方向の摺擦力が両端側で特に生じ易いように両端部２３Ｂ２，２３Ｂ３の外径が大きい清掃ロール２１Ｂを適用した構成などが可能である。
【００６２】
（Ｈ03）前記各実施例において、中間転写ベルトＢからシートＳにトナー像を転写させる２次転写ロールＴ２ｂに対する清掃ロール２１の構成を例示したが、これに限定されない。例えば、感光体からシートＳにトナー像を転写させる転写部材に、本願発明の清掃部材を配置する構成が可能である。
（Ｈ04）前記各実施例において、清掃ロール２１の上流側には、清掃ブレード１２が設けられていることが望ましいが、清掃ブレード１２を省略する構成も可能である。
（Ｈ05）前記各実施例において、清掃ロール２１が２次転写ロールＴ２ｂに従動回転する構成を例示したが、これに限定されない。清掃ロール２１が駆動回転する構成も可能である。
【００６３】
（Ｈ06）前記各実施例において、縁なし印刷が可能な複写機Ｕの構成を例示したが、これに限定されず、縁無し印刷の機能を有しない構成も可能である。
（Ｈ07）前記各実施例において、転写部材の一例としての２次転写ロールＴ２ｂが、中間転写ベルトＢからシートＳにトナー像を転写させる構成を例示したが、これに限定されない。例えば、円柱状の中間転写体、いわゆる、中間転写ドラムに保持されたトナー像をシートＳに転写させる転写部材の構成も可能である。
【００６４】
（Ｈ08）前記各実施例において、転写部材の一例として、円柱状に構成された２次転写ロールＴ２ｂの構成を例示したが、これに限定されない。例えば、円柱状の構成ではなく、無端帯状の部材、いわゆる、転写ベルトの構成も可能である。
（Ｈ09）前記各実施例において、２次転写ロールＴ２ｂがバックアップロールＴ２ａに比べて小径の構成を例示したが、これに限定されず、２次転写ロールＴ２ｂの径が、バックアップロールＴ２ａの径と同径または大径となる構成も可能である。
【符号の説明】
【００６５】
１…転写部材の軸、
１２…第２の清掃部材、
２１，２１′，２１Ａ，２１Ｂ，２１Ｃ…清掃部材、
２２…清掃部材の軸、
Ｂ…像保持体、
Ｑ４…転写領域、
Ｓ…媒体、
Ｔ１＋Ｔ２＋Ｂ…転写装置、
Ｔ２ｂ…転写部材、
Ｕ…画像形成装置。
【図１】
2017062330.tif 000003
【図２】
2017062330.tif 000004
【図３】
2017062330.tif 000005
【図４】
2017062330.tif 000006
【図５】
2017062330.tif 000007
【図６】
2017062330.tif 000008
【図７】
2017062330.tif 000009
【図８】
2017062330.tif 000010
【図９】
2017062330.tif 000011
【図１０】
2017062330.tif 000012